(57)【特許請求の範囲】
【請求項１】
ストレート形状で大径の銅パイプにこれより長尺でストレート形状の小径の銅パイプを挿通させ、小径の銅パイプの両端面を大径の銅パイプの両端面より突出させた状態で大径の銅パイプの胴と小径の銅パイプの胴とをパイプ曲げ加工装置によって同時に曲げ加工して、屈曲した大径の銅パイプ内に屈曲した小径の銅パイプが挿通されてなる吐水管予定部材を、両銅パイプの内側の胴部分同士が当接した状態で得る工程と、
前記吐水管予定部材に先端金具を取り付けて、両銅パイプの外側の胴部分同士が吐水管予定部材の頂上部分において当接するよう両銅パイプの当接箇所を変更する工程と、
先端金具が取り付けられた吐水管予定部材に後端金具を取り付ける工程とを含み、
さらに、
後端金具を取り付ける工程において、屈曲した小径の銅パイプの後端が、水栓胴体に形成された導出路と屈曲した小径の銅パイプによって形成される吐水路とを連通させるべく後端金具に設けた連通穴を介して後端金具に取り付けられるとともに、屈曲した小径の銅パイプが屈曲した大径の銅パイプに当たらないように屈曲した小径の銅パイプの後端を、前記連通穴に連通するよう、後端金具に設けた切欠部に沿って移動させて屈曲した大径の銅パイプに対する屈曲した小径の銅パイプの位置決め調整が行えるようにしたことを特徴とする吐水管の形成方法。
【請求項２】
ストレート形状で大径の銅パイプにこれより長尺でストレート形状の小径の銅パイプを挿通させ、小径の銅パイプの両端面を大径の銅パイプの両端面より突出させた状態で大径の銅パイプの胴と小径の銅パイプの胴とをパイプ曲げ加工装置によって同時に曲げ加工して形成された、屈曲した大径の銅パイプ、および、屈曲した大径の銅パイプ内に挿通された屈曲した小径の銅パイプを有する二重管構造の吐水管において、
整流作用を示す吐水口部がねじ止めされた状態で吐水管の最下流端に取り付けられたキャップ状の先端金具と、吐水管の最上流端に取り付けられた略筒状の後端金具を有しており、
さらに、
前記先端金具の周面の全面が屈曲した大径の銅パイプの先端内周面にろう付けされているとともに、前記先端金具の上面開口部を介して、屈曲した小径の銅パイプの先端部が取り付けられている一方、
前記後端金具の下流側が吐水管に接続された状態で前記後端金具を水栓胴体内に嵌め込むことにより、屈曲した小径の銅パイプ内に形成される吐水路と水栓胴体に形成された導出路とを連通させるための連通部を後端金具は前記下流側に有し、
また、前記連通部は、先端金具の中央位置から偏心した位置に中心を持つ連通穴と、この連通穴に連通する切欠部とよりなり、
また、屈曲した小径の銅パイプの後端が前記連通穴を介して前記後端金具に取り付けられるとともに、前記後端金具の外周面が屈曲した大径の銅パイプの最上流端における内周面にろう付けされており、さらに、
前記切欠部は、前記吐水路と導出路を連通させる機能を有するとともに、吐水管の形成時において前記後端金具を取り付けるにあたり、屈曲した大径の銅パイプ内に挿通された屈曲した小径の銅パイプが屈曲した大径の銅パイプに当たらないように屈曲した小径の銅パイプの後端を前記切欠部に沿って移動させて屈曲した大径の銅パイプに対する屈曲した小径の銅パイプの位置決め調整が行える小径銅パイプ位置決め調整機能を備えていることを特徴とする吐水管。
【請求項３】
浄水の導出路に連通する浄水吐水路が前記屈曲した小径の銅パイプによって形成される一方、混合湯水または水の導出路に連通する原水吐水路が前記屈曲した小径の銅パイプおよび屈曲した大径の銅パイプ間に形成されている請求項２に記載の吐水管。
【発明の詳細な説明】
【０００１】
【発明の属する技術分野】
この発明は、吐水管の形成方法および吐水管に関する。
【０００２】
【従来の技術および発明が解決しようとする課題】
予め曲げ加工されている金属製のパイプ（外パイプ）内に樹脂製のパイプ（内パイプ）を差し込んでなる二重管構造の吐水管では当然ながら樹脂製のパイプが差し込み可能な程度にしか金属製のパイプは曲げられておらず、それより大きな曲がりを持つ二重管構造の吐水管を得ることは難しい。
【０００３】
この発明はこのような実情を考慮に入れてなされたものであって、内パイプが差し込めない程度に大きな曲がりを持つ二重管構造の吐水管の形成方法および吐水管を提供することを目的としている。
【０００４】
【課題を解決するための手段】
上記目的を達成するため、この発明の吐水管の形成方法は、ストレート形状で大径の銅パイプにこれより長尺でストレート形状の小径の銅パイプを挿通させ、小径の銅パイプの両端面を大径の銅パイプの両端面より突出させた状態で大径の銅パイプの胴と小径の銅パイプの胴とをパイプ曲げ加工装置によって同時に曲げ加工して、屈曲した大径の銅パイプ内に屈曲した小径の銅パイプが挿通されてなる吐水管予定部材を、両銅パイプの内側の胴部分同士が当接した状態で得る工程と、
前記吐水管予定部材に先端金具を取り付けて、両銅パイプの外側の胴部分同士が吐水管予定部材の頂上部分において当接するよう両銅パイプの当接箇所を変更する工程と、
先端金具が取り付けられた吐水管予定部材に後端金具を取り付ける工程とを含み、
さらに、
後端金具を取り付ける工程において、屈曲した小径の銅パイプの後端が、水栓胴体に形成された導出路と屈曲した小径の銅パイプによって形成される吐水路とを連通させるべく後端金具に設けた連通穴を介して後端金具に取り付けられるとともに、屈曲した小径の銅パイプが屈曲した大径の銅パイプに当たらないように屈曲した小径の銅パイプの後端を、前記連通穴に連通するよう、後端金具に設けた切欠部に沿って移動させて屈曲した大径の銅パイプに対する屈曲した小径の銅パイプの位置決め調整が行えるようにしている。
【０００５】
また、この発明は別の観点から、ストレート形状で大径の銅パイプにこれより長尺でストレート形状の小径の銅パイプを挿通させ、小径の銅パイプの両端面を大径の銅パイプの両端面より突出させた状態で大径の銅パイプの胴と小径の銅パイプの胴とをパイプ曲げ加工装置によって同時に曲げ加工して形成された、屈曲した大径の銅パイプ、および、屈曲した大径の銅パイプ内に挿通された屈曲した小径の銅パイプを有する二重管構造の吐水管において、整流作用を示す吐水口部がねじ止めされた状態で吐水管の最下流端に取り付けられたキャップ状の先端金具と、吐水管の最上流端に取り付けられた略筒状の後端金具を有しており、
さらに、
前記先端金具の周面の全面が屈曲した大径の銅パイプの先端内周面にろう付けされているとともに、前記先端金具の上面開口部を介して、屈曲した小径の銅パイプの先端部が取り付けられている一方、
前記後端金具の下流側が吐水管に接続された状態で前記後端金具を水栓胴体内に嵌め込むことにより、屈曲した小径の銅パイプ内に形成される吐水路と水栓胴体に形成された導出路とを連通させるための連通部を後端金具は前記下流側に有し、
また、前記連通部は、先端金具の中央位置から偏心した位置に中心を持つ連通穴と、この連通穴に連通する切欠部とよりなり、
また、屈曲した小径の銅パイプの後端が前記連通穴を介して前記後端金具に取り付けられるとともに、前記後端金具の外周面が屈曲した大径の銅パイプの最上流端における内周面にろう付けされており、さらに、
前記切欠部は、前記吐水路と導出路を連通させる機能を有するとともに、吐水管の形成時において前記後端金具を取り付けるにあたり、屈曲した大径の銅パイプ内に挿通された屈曲した小径の銅パイプが屈曲した大径の銅パイプに当たらないように屈曲した小径の銅パイプの後端を前記切欠部に沿って移動させて屈曲した大径の銅パイプに対する屈曲した小径の銅パイプの位置決め調整が行える小径銅パイプ位置決め調整機能を備えていることを特徴とする吐水管を提供する。
【０００６】
【０００７】
【発明の実施の形態】
図１〜図３は、例えば浴室用の湯水混合水栓に適用したこの発明の一実施形態を示す。
【０００８】
図１〜図３において、１は、湯水混合水栓２の水栓胴体で、給湯配管に接続される湯導入部３と、給水配管に接続される水導入部４と、両者３，４に連通する湯水混合室５とよりなる。なお、湯導入部３は、湯水混合室５内の導出路ｉと給湯配管路との連通状態を制御する湯用弁体を有するとともに、水導入部４は、前記導出路ｉと給水配管路との連通状態を制御する水用弁体を有する。
【０００９】
また、５ａは、湯水混合室５の立ち上がり部で、混合湯水または水の導出部を構成する。
【００１０】
６は、浴槽Ａの隅に設けた湯水混合水栓取付け面部である。７は、湯導入部３直上で、前記取付け面部６の表面６ａ上に配置された樹脂製の湯用ハンドルであり、前記湯用弁体を開閉する。８は、水導入部４直上で、前記取付け面部６の表面６ａ上に配置された樹脂製の水用ハンドルであり、前記水用弁体を開閉する。
【００１１】
以下この発明の特徴的構成について説明する。
【００１２】
９は、前記導出部５ａの軸線Ｌまわりに回動自在に設けた吐水管である。この吐水管９は、前記導出路ｉから供給された混合湯水または水の吐水路ｊを形成するための小径ｄの内パイプ１０と、この内パイプ１０を空気層Ｗを介して覆う大径Ｄ（＞ｄ）の外パイプ１１の二重管構造を備えてなる。前記空気層Ｗは、外パイプ１１の内面１１ａおよび内パイプ１０の外面１０ａ間に形成されている。
【００１３】
前記外パイプ１１および内パイプ１０は、パイプ曲げ装置（図示せず）によって曲げ加工可能な素材、すなわち、外パイプ１１および内パイプ１０には同一素材が用いられており、銅が用いられている。
【００１４】
１２は、吐水管９を前記取付け面部６に設置するための袋ナットである。
【００１５】
１４は、吐水管９の最下流端Ｓに取り付けられたキャップ状の先端金具で、整流作用を示す吐水口部１３がねじ止めされる。この先端金具１４は、周面１４ｂの全面が外パイプ１１の先端内周面にろう付けされるとともに、内パイプ１０の先端部が上面開口部１４ａを介して先端金具１４に取り付けられている。図３（Ｃ）において、１５は、前記周面１４ｂにおけるろう付け部分である。
【００１６】
一方、１６は、吐水管９の最上流端Ｐに取り付けられた略筒状の後端金具である。そして、この後端金具１６の下流側が吐水管９に接続された状態（図３（Ｄ）参照）で後端金具１６を湯水混合室５の前記立ち上がり部５ａ内に嵌め込むことにより、内パイプ１０内に形成される前記吐水路ｊと湯水混合室５内の導出路ｉとを連通させるための連通部１７を後端金具１６は前記下流側に有する。この連通部１７は、中央位置から偏心した位置に中心を持つ連通穴１７ａと、この連通穴１７ａに連通する切欠部１７ｂとよりなる。
【００１７】
そして、内パイプ１０の後端が前記連通穴１７ａを介して後端金具１６に取り付けられるとともに、後端金具１６の外周面が外パイプ１１の最上流端Ｐ内周面にろう付けされている。１９は、外パイプ１１および後端金具１６間のろう付け部分である。
なお、前記切欠部１７ｂは、吐水路ｊと導出路ｉとを連通させる機能を有するとともに、図３（Ｄ）で示す状態のときに、内パイプ１０が外パイプ１１に当たらないように内パイプ１０の後端を切欠部１７ｂに沿って移動させて外パイプ１１に対する内パイプ１０の位置決め調整が行える内パイプ位置決め調整機能も持っている。
【００１８】
次に、前記吐水管９の形成方法について説明する。
【００１９】
まず、図３（Ａ）に示すように、二本のストレート形状（直線状）の銅パイプ３０，３１を用意する。一方の銅パイプ３１は他方の銅パイプ３０よりも長尺で小径ｄである。そして、直ぐに曲げ工程が施されるよう二本の銅パイプ３０，３１共予め所定の長さＢ，Ｃに設定されている。
【００２０】
そして、長尺（長さＣ）・小径ｄの銅パイプ３１の両端面ｍおよびｎを、短尺（長さＢ）・大径Ｄの銅パイプ３０の両端面ｍ’およびｎ’から、それぞれ、突出させた状態で銅パイプ３０内に銅パイプ３１を挿通させながら、パイプ曲げ装置（図示せず）によって銅パイプ３０の胴３０ａと銅パイプ３１の胴３１ａとを同時に曲げ加工して、大きな曲がりを持つ所定の湾曲形状の吐水管予定部材３３を得る〔図３（Ｂ）参照〕。図３（Ａ）には、パイプ曲げ装置による銅パイプ３０，３１への押圧箇所の四地点が矢印Ｅ，Ｆ，Ｇ，Ｈで示されている。そして、銅パイプ３０の押圧箇所とは反対側には、胴３０ａの中央部分を支持する支持部材が設置されている。前記四地点Ｅ，Ｆ，Ｇ，Ｈはそれぞれ例えば回転ローラを介して押圧されるとともに、前記支持部材には回転しないローラが用いられる。
【００２１】
前記吐水管予定部材３３は、屈曲した銅パイプ３０’内に屈曲した銅パイプ３１’が挿通されてなる。図３（Ｂ）には、屈曲した胴３０ａ’の内側の胴部分３０ａ’’と屈曲した胴３１ａ’の内側の胴部分３１ａ’’とが吐水管予定部材３３の領域Ｌにわたり当接している状態を示している。
【００２２】
続いて、上述した先端金具１４を吐水管予定部材３３に取り付ける。図３（Ｃ）は、取り付け後の状態を示している。
【００２３】
図３（Ｃ）において、屈曲した胴３０ａ’の外側の胴部分３０ａ’’と屈曲した胴３１ａ’の外側の胴部分３１ａ’’とが吐水管予定部材３３の頂上部分における領域Ｍにわたり当接している状態を示している。
【００２４】
その後、上述した後端金具１６を吐水管予定部材３３に取り付けることにより大きな曲がりを持つ二重管構造の吐水管９〔図３（Ｄ）参照〕を得る。
【００２５】
なお、この実施形態の吐水管９は、水栓胴体１に形成された混合湯水または水の導出路ｉに連通する吐水路ｊが内パイプ１０によって形成される一方、内パイプ１０および外パイプ１１間に空気層Ｗが形成されていたが、この発明は、このタイプのものに限らず、例えば以下に示すタイプの吐水管にも適用可能である。
【００２６】
例えば、水栓胴体に形成された浄水の導出路に連通する浄水吐水路が内パイプによって形成される一方、混合湯水または水の導出路に連通する原水（混合湯水または水）吐水路が内パイプおよび外パイプ間に形成されている吐水管にこの発明は適用できる。
【００２７】
また、水栓胴体に形成された混合湯水または水の導出路に連通する吐水路が内パイプによって形成される一方、内パイプおよび外パイプ間に、前記水の導出路、または、給水配管に接続される水導入部から分岐させた水分岐路を連通させるとともに、内パイプおよび外パイプ間の先端を閉塞して分岐した水が吐水できないように構成し、たとえ内パイプに熱湯が流れても熱湯による外パイプへの熱伝導を防止するように構成された吐水管にもこの発明は適用可能である。
【００２８】
【発明の効果】
この発明では、内パイプが差し込めない程度に大きな曲がりを持つ二重管構造の吐水管の形成方法および吐水管を提供できる効果がある。
【図面の簡単な説明】
【図１】  この発明の一実施形態における吐水管の使用状態を示す構成説明図である。
【図２】  上記実施形態における吐水管の取り付け状態を示す分解斜視図である。
【図３】  （Ａ）は、上記実施形態における吐水管形成初期の状態を示す図である。
（Ｂ）は、上記実施形態において、大径パイプの胴と小径パイプの胴とを同時に曲げ加工したときの状態を示す図である。
（Ｃ）は、上記実施形態において、先端金具を取り付けたときの状態を示す図である。
（Ｄ）は、上記実施形態における吐水管形成後の状態を示す図である。
【符号の説明】
９…吐水管、１４…先端金具、１４ａ…上面開口部、１４ｂ…周面、１６…後端金具、１７…連通部、１７ａ…連通穴、１７ｂ…切欠部、３０…ストレート形状の大径パイプ、３０ａ…大径パイプの胴、３１…長尺でストレート形状の小径パイプ、３１ａ…小径パイプの胴、ｍ，ｎ…小径パイプの両端面、ｍ’，ｎ’…大径パイプの両端面、ｊ…吐水路、ｉ…導出路。
【図１】
0003934905.tif 000002
【図２】
0003934905.tif 000003
【図３】
0003934905.tif 000004